(57)【特許請求の範囲】
【請求項１】
他装置と通信する通信部と、
商品またはサービスを広告するための広告動画の作成依頼を、前記通信部を介して前記広告動画の作成者の端末装置に送信する依頼処理部と、
前記依頼処理部により送信された作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成するリンク情報生成部と、
前記リンク情報生成部により生成された前記リンク情報に基づいて、前記広告動画を作成した作成者に報酬を支払うことを決定する支払決定部と、を備え、
前記依頼処理部は、過去に作成した前記広告動画の再生数が閾値以上である前記作成者を選択し、前記通信部を介して、前記選択した作成者の端末装置に新規の作成依頼を送信する、
広告動画管理装置。
【請求項２】
前記支払決定部は、前記広告動画を視聴した利用者によってとられた所定の行動に基づいて、前記広告動画を作成した作成者に報酬を支払うことを決定する、
請求項１に記載の広告動画管理装置。
【請求項３】
前記所定の行動とは、前記広告動画により広告される商品またはサービスを購買することである、
請求項２に記載の広告動画管理装置。
【請求項４】
前記所定の行動とは、前記広告動画が掲載された広告画面を表示した端末装置に、前記広告動画により広告される商品またはサービスが掲載された画面を表示させることである、
請求項２または３に記載の広告動画管理装置。
【請求項５】
前記広告動画が掲載された広告画面には、前記広告動画により広告される商品またはサービスを販売するウェブページへのリンクが設定される、
請求項４に記載の広告動画管理装置。
【請求項６】
前記通信部は、前記作成依頼に基づいて複数の広告動画が作成された場合、前記作成依頼の依頼者が前記複数の広告動画の中から一つ以上の広告動画を採用したことを表す採用情報を、前記依頼者の端末装置から受信し、
前記支払決定部は、前記通信部によって受信された前記採用情報が表す広告動画を作成した前記作成者に報酬を支払うことを決定する、
請求項１から５のうちいずれか１項に記載の広告動画管理装置。
【請求項７】
前記支払決定部は、前記広告動画の再生数に基づいて、前記作成者に報酬を支払うことを決定する、
請求項１から６のうちいずれか１項に記載の広告動画管理装置。
【請求項８】
前記支払決定部は、前記広告動画が再生された場合に、前記再生された広告動画に対応付けられた前記商品またはサービスを購入した購入者の数に基づいて、前記作成者に報酬を支払うことを決定する、
請求項１から７のうちいずれか１項に記載の広告動画管理装置。
【請求項９】
前記支払決定部は、さらに、前記作成者に報酬を支払うための費用を前記作成依頼の依頼元に請求し、前記請求により得られる費用の一部または全部を前記報酬として前記作成者に対して支払うことを決定する、
請求項１から８のうちいずれか１項に記載の広告動画管理装置。
【請求項１０】
他装置と通信する通信部と、
商品またはサービスを広告するための広告動画の作成依頼を、前記通信部を介して前記広告動画の作成者の端末装置に送信する依頼処理部と、
前記依頼処理部により送信された作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成するリンク情報生成部と、
前記リンク情報生成部により生成された前記リンク情報に基づいて、前記広告動画を作成した作成者に報酬を支払うことを決定する支払決定部と、を備え、
前記依頼処理部は、過去に作成した前記広告動画の再生数と、前記広告動画により広告された商品またはサービスの購買数とに基づく指標値が閾値以上である前記作成者を選択し、前記通信部を介して、前記選択した作成者の端末装置に新規の作成依頼を送信する、
広告動画管理装置。
【請求項１１】
他装置と通信する通信部と、
商品またはサービスを広告するための広告動画の作成依頼を、前記通信部を介して前記広告動画の作成者の端末装置に送信する依頼処理部と、
前記依頼処理部により送信された作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成するリンク情報生成部と、
前記リンク情報生成部により生成された前記リンク情報に基づいて、前記広告動画を作成した作成者に報酬を支払うことを決定する支払決定部と、を備え、
前記依頼処理部は、過去に作成した前記広告動画の再生数と、前記広告動画により広告された商品またはサービスが掲載された画面の表示回数とに基づく指標値が閾値以上である前記作成者を選択し、前記通信部を介して、前記選択した作成者の端末装置に新規の作成依頼を送信する、
広告動画管理装置。
【請求項１２】
請求項１から１１のうちいずれか１項に記載の広告動画管理装置と、
前記広告動画管理装置と通信を行う第２の通信部、および、
前記第２の通信部を用いて、前記作成依頼の入力画面を表示させるための情報を、前記作成依頼の依頼者が利用する端末装置に送信すると共に、前記入力画面に入力された情報に基づく作成依頼を、前記広告動画管理装置に送信する第１の制御部を有する販売サイト提供装置と、
前記広告動画管理装置と通信を行う第３の通信部、
前記作成依頼に基づいて作成された広告動画を記憶する記憶部、および、
前記記憶部に記憶された前記広告動画を読み出し、前記第３の通信部を用いて、前記読み出した広告動画を、前記利用者の端末装置に送信する第２の制御部を有する前記動画提供装置と、
を備える広告動画管理システム。
【請求項１３】
他装置と通信する通信部を備えるコンピュータが、
商品またはサービスを広告するための広告動画の作成依頼を、前記通信部を介して前記広告動画の作成者の端末装置に送信し、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成し、
前記生成した前記リンク情報に基づいて、前記広告動画を作成した作成者に報酬を支払うことを決定し、
過去に作成した前記広告動画の再生数が閾値以上である前記作成者を選択し、前記通信部を介して、前記選択した作成者の端末装置に新規の作成依頼を送信する、
広告動画管理方法。
【請求項１４】
他装置と通信する通信部を備えるコンピュータが、
商品またはサービスを広告するための広告動画の作成依頼を、前記通信部を介して前記広告動画の作成者の端末装置に送信し、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成し、
前記生成した前記リンク情報に基づいて、前記広告動画を作成した作成者に報酬を支払うことを決定し、
過去に作成した前記広告動画の再生数と、前記広告動画により広告された商品またはサービスの購買数とに基づく指標値が閾値以上である前記作成者を選択し、前記通信部を介して、前記選択した作成者の端末装置に新規の作成依頼を送信する、
広告動画管理方法。
【請求項１５】
他装置と通信する通信部を備えるコンピュータが、
商品またはサービスを広告するための広告動画の作成依頼を、前記通信部を介して前記広告動画の作成者の端末装置に送信し、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成し、
前記生成した前記リンク情報に基づいて、前記広告動画を作成した作成者に報酬を支払うことを決定し、
過去に作成した前記広告動画の再生数と、前記広告動画により広告された商品またはサービスが掲載された画面の表示回数とに基づく指標値が閾値以上である前記作成者を選択し、前記通信部を介して、前記選択した作成者の端末装置に新規の作成依頼を送信する、
広告動画管理方法。
【請求項１６】
他装置と通信する通信部を備えるコンピュータに、
商品またはサービスを広告するための広告動画の作成依頼を、前記通信部を介して前記広告動画の作成者の端末装置に送信すること、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成すること、
前記生成した前記リンク情報に基づいて、前記広告動画を作成した作成者に報酬を支払うことを決定すること、
過去に作成した前記広告動画の再生数が閾値以上である前記作成者を選択し、前記通信部を介して、前記選択した作成者の端末装置に新規の作成依頼を送信すること、
を実行させるための広告動画管理プログラム。
【請求項１７】
他装置と通信する通信部を備えるコンピュータに、
商品またはサービスを広告するための広告動画の作成依頼を、前記通信部を介して前記広告動画の作成者の端末装置に送信すること、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成すること、
前記生成した前記リンク情報に基づいて、前記広告動画を作成した作成者に報酬を支払うことを決定すること、
過去に作成した前記広告動画の再生数と、前記広告動画により広告された商品またはサービスの購買数とに基づく指標値が閾値以上である前記作成者を選択し、前記通信部を介して、前記選択した作成者の端末装置に新規の作成依頼を送信すること、
を実行させるための広告動画管理プログラム。
【請求項１８】
他装置と通信する通信部を備えるコンピュータに、
商品またはサービスを広告するための広告動画の作成依頼を、前記通信部を介して前記広告動画の作成者の端末装置に送信すること、
前記送信した作成依頼に基づいて前記作成者が作成した広告動画を利用者の端末装置に提供する動画提供装置から、前記通信部を介して前記広告動画の識別情報を取得し、前記取得した広告動画の識別情報と、前記広告動画により広告される商品またはサービスの識別情報とを互いに対応付けたリンク情報を生成すること、
前記生成した前記リンク情報に基づいて、前記広告動画を作成した作成者に報酬を支払うことを決定すること、
過去に作成した前記広告動画の再生数と、前記広告動画により広告された商品またはサービスが掲載された画面の表示回数とに基づく指標値が閾値以上である前記作成者を選択し、前記通信部を介して、前記選択した作成者の端末装置に新規の作成依頼を送信すること、
を実行させるための広告動画管理プログラム。
【発明の詳細な説明】
【技術分野】
【０００１】
本発明は、広告動画管理装置、広告動画管理システム、広告動画管理プログラム、および広告動画管理方法に関する。
【背景技術】
【０００２】
動画投稿サイトには種々の動画が投稿される。一方、広告媒体のウェブサイトに広告を表示することで、ウェブサイトの閲覧者が広告主の商品またはサービスを購入し、広告主に利益が生じた場合に広告媒体を提供した者に報酬を支払う技術が知られている（例えば、特許文献１参照）。
【先行技術文献】
【特許文献】
【０００３】
【特許文献１】国際公開第２０１２／００２３４９号
【発明の概要】
【発明が解決しようとする課題】
【０００４】
従来は、動画投稿サイトに投稿される動画とウェブ広告とを円滑に連携させる仕組みが構築されていなかった。
【０００５】
本発明は、上記の課題に鑑みてなされたものであって、動画の作成意欲を喚起して、ネットワークにおける経済活動を活発化させることができることができる広告動画管理装置、広告動画管理システム、広告動画管理プログラム、および広告動画管理方法を提供することを目的としている。
【課題を解決するための手段】
【０００６】
本発明の一態様は、他装置と通信する通信部と、商品またはサービスを広告するための広告動画の作成依頼を、前記通信部を用いて前記他装置に送信する依頼処理部と、前記依頼処理部による作成依頼に基づいて作成された広告動画と、前記広告動画により広告される商品またはサービスとを互いに対応付けたリンク情報を生成するリンク情報生成部と、前記リンク情報生成部により生成された前記リンク情報を参照し、前記広告動画を作成した作成者に報酬を支払うことを決定する支払決定部と、を備える広告動画管理装置である。
【発明の効果】
【０００７】
本発明の一態様によれば、動画の作成意欲を喚起して、ネットワークにおける経済活動を活発化させることができることができる。
【図面の簡単な説明】
【０００８】
【図１】第１実施形態における広告動画管理システム１の一例を示す図である。
【図２】第１実施形態における依頼者側端末装置１０または作成者側端末装置２０の構成の一例を示す図である。
【図３】第１実施形態における広告動画管理装置１００の構成の一例を示す図である。
【図４】リスト情報１２１の一例を示す図である。
【図５】リンク情報１２２の一例を示す図である。
【図６】動画作成者評価情報１２３の一例を示す図である。
【図７】第１実施形態における販売サイト提供装置２００の構成の一例を示す図である。
【図８】第１実施形態における動画投稿サイト提供装置３００の構成の一例を示す図である。
【図９】第１実施形態における広告動画管理システム１の処理の流れの一例を示すシーケンス図である。
【図１０】依頼者側端末装置１０により表示される、販売サイト内に店舗を出店するためのウェブ画面の一例を示す図である。
【図１１】広告依頼者マスタ情報２１２の一例を示す図である。
【図１２】依頼条件マスタ情報２１３の一例を示す図である。
【図１３】依頼者側端末装置１０により表示される、販売サイトに商品等を掲載するためのウェブ画面の一例を示す図である。
【図１４】依頼者側端末装置１０により表示される、販売サイトに商品等を掲載するためのウェブ画面の他の一例を示す図である。
【図１５】商品等マスタ情報２１４の一例を示す図である。
【図１６】一般利用者が利用する端末装置の画面の一例を示す図である。
【図１７】第１実施形態における販売サイト提供装置２００の処理の流れの一例を示すフローチャートである。
【図１８】第１実施形態における広告動画管理装置１００の処理の流れの一例を示すフローチャートである。
【図１９】購買実績の情報の一例を模式的に示す図である。
【図２０】広告動画のＵＲＬをリンクとして貼り付ける様子を模式的に示す図である。
【図２１】第３実施形態における動画投稿サイトの一つのウェブページを模式的に示す図である。
【図２２】第３実施形態における広告動画管理システム３の処理の流れの一例を示すシーケンス図である。
【図２３】実施形態の依頼者側端末装置１０、作成者側端末装置２０、広告動画管理装置１００、１００Ａ、１００Ｂ、販売サイト提供装置２００、および動画投稿サイト提供装置３００のハードウェア構成の一例を示す図である。
【発明を実施するための形態】
【０００９】
以下、本発明を適用した広告動画管理装置、広告動画管理システム、広告動画管理プログラム、および広告動画管理方法を、図面を参照して説明する。
【００１０】
以下に示す各実施形態の広告動画管理装置を含む広告動画管理システムにおいて、広告動画管理装置は、例えば一以上のプロセッサによって実現される。広告動画管理装置は、他装置と通信する通信部を用いて、商品またはサービス（以下、商品等と称する）を広告するための広告動画の作成依頼を、他装置に送信する。他装置とは、例えば、作成依頼に基づき広告動画を作成する動画作成者により利用される端末装置である。そして、広告動画管理装置は、作成依頼に基づいて作成された広告動画と、広告動画により広告（紹介）される商品等とを互いに対応付けたリンク情報を生成し、このリンク情報を参照して、広告動画を作成した作成者に報酬を支払うことを決定する。これによって、動画の作成意欲を喚起して、ネットワークにおける経済活動を活発化させることができることができる。
【００１１】
＜第１実施形態＞
以下、第１実施形態について説明する。図１は、第１実施形態における広告動画管理システム１の一例を示す図である。第１実施形態における広告動画管理システム１は、例えば、依頼者側端末装置１０と、作成者側端末装置２０と、広告動画管理装置１００と、販売サイト提供装置２００と、動画投稿サイト提供装置３００とを含む。なお、広告動画管理装置１００、販売サイト提供装置２００、および動画投稿サイト提供装置３００のうち一部または全部は、統合されて一つの装置とされてもよいし、より多くの装置に分散化されてもよい。
【００１２】
広告動画管理システム１では、依頼者側端末装置１０と、作成者側端末装置２０と、広告動画管理装置１００と、販売サイト提供装置２００と、動画投稿サイト提供装置３００とが、ネットワークＮＷを介して種々の情報を送受信する。ネットワークＮＷは、例えば、無線基地局、Ｗｉ−Ｆｉアクセスポイント、通信回線、プロバイダ、インターネットなどを含む。
【００１３】
依頼者側端末装置１０は、例えば、広告依頼者により利用される端末装置である。依頼者側端末装置１０は、例えば、スマートフォンなどの携帯電話、タブレット端末、ＰＤＡ（Personal Digital Assistant）、パーソナルコンピュータである。広告依頼者とは、インターネットのショッピングサイトやオークションサイト、フリーマーケットサイト等のウェブサイトに自身が掲載した商品等を、広告として第三者から紹介してもらえるよう依頼する者である。例えば、広告依頼者は、ショッピングサイト等に出店する店舗の運営者であってもよいし、商品を製造するメーカやサービスを提供するサービス提供事業者であってもよい。また、広告依頼者は、オークションサイトやフリーマーケットサイト等に商品等を出品する個人利用者であってもよい。
【００１４】
作成者側端末装置２０は、動画作成者により利用される端末装置である。作成者側端末装置２０は、例えば、スマートフォンなどの携帯電話、タブレット端末、ＰＤＡ、パーソナルコンピュータである。動画作成者は、広告依頼者により販売される商品等を広告するための動画（以下、「広告動画」と称する）を作成する者である。例えば、動画作成者は、フリーランス等の個人事業者であってもよいし、クラウドソーシング形式の企業または事業体の従業員であってもよい。動画作成者は、後述する広告動画管理装置１００により仲介された広告依頼者からの広告動画の作成依頼に基づいて、広告動画を作成する。動画作成者は、例えば、作成者側端末装置２０を操作し、作成した広告動画を、動画投稿サイトやアプリケーションプログラムを介して投稿（アップロード）する。動画投稿サイトとは、例えば、投稿された動画を不特定多数の利用者に公開するウェブサイトである。
【００１５】
広告動画管理装置１００は、広告依頼者と動画作成者との間を相互に仲介する装置である。例えば、広告動画管理装置１００は、広告依頼者からの広告動画の作成依頼を、依頼者側端末装置１０から直接的または間接的に受信し、受信した作成依頼を作成者側端末装置２０に送信する。間接的とは、ネットワークＮＷに含まれる各種の転送装置に加えて、上記の販売サイト提供装置２００、或いはその他の装置を介して作成依頼を受信することをいう。
【００１６】
販売サイト提供装置２００は、上述したショッピングサイトやオークションサイト、フリーマーケットサイト等のウェブサイトを提供するサーバ装置である。以下、これらウェブサイトを、販売サイトと称して説明する。
【００１７】
動画投稿サイト提供装置３００は、上述した動画投稿サイトを提供するサーバ装置である。
【００１８】
以下、上述した依頼者側端末装置１０、作成者側端末装置２０、広告動画管理装置１００、販売サイト提供装置２００、および動画投稿サイト提供装置３００のそれぞれの構成について説明する。
【００１９】
図２は、第１実施形態における依頼者側端末装置１０または作成者側端末装置２０の構成の一例を示す図である。第１実施形態における依頼者側端末装置１０は、例えば、通信部１１と、表示部１２と、操作部１３と、制御部１４と、記憶部１５とを含む。また、作成者側端末装置２０は、通信部２１と、表示部２２と、操作部２３と、制御部２４と、記憶部２５とを含む。
【００２０】
以下に説明するハードウェアにおいて、依頼者側端末装置１０と作成者側端末装置２０とで特段の差異は無くてもよいため、これらについて併せて説明する。通信部１１（２１）は、ネットワークＮＷに接続するためのハードウェアを含む。例えば、通信部１１（２１）は、アンテナおよび送受信装置、またはＮＩＣ（Network Interface Card）等を含んでよい。例えば、通信部１１（２１）は、ネットワークＮＷを介して他装置と通信する。
【００２１】
表示部１２（２２）は、例えば、ＬＣＤ（Liquid Crystal Display）や有機ＥＬ（Electroluminescence）ディスプレイなどの表示装置を含む。表示部１２（２２）は、制御部１４（２４）により出力される情報に基づいて画像を表示する。
【００２２】
操作部１３（２３）は、例えば、ボタン、キーボードやマウス等の操作デバイスを含む。操作部１３（２３）は、ユーザの操作を受け付けて、受け付けた操作に応じた情報を制御部１４（２４）に出力する。なお、操作部１３（２３）は、表示部１２（２２）と一体として構成されるタッチパネルであってもよい。
【００２３】
制御部１４（２４）は、例えば、ＣＰＵ（Central Processing Unit）などのプロセッサが記憶部１５（２５）に格納されたプログラムを実行することにより実現される。また、制御部１４（２４）は、ＬＳＩ（Large Scale Integration）、ＡＳＩＣ（Application Specific Integrated Circuit）、またはＦＰＧＡ（Field-Programmable Gate Array）などのハードウェアにより実現されてもよい。
【００２４】
記憶部１５（２５）は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）などにより実現される。記憶部１５（２５）には、ファームウェアやアプリケーションプログラムなどの各種プログラム、通信部１１（２１）により受信された情報などが記憶される。
【００２５】
図３は、第１実施形態における広告動画管理装置１００の構成の一例を示す図である。第１実施形態における広告動画管理装置１００は、例えば、通信部１０２と、制御部１１０と、記憶部１２０とを含む。
【００２６】
通信部１０２は、例えば、ＮＩＣ等の通信インターフェースを含む。通信部１０２は、ネットワークＮＷを介して作成者側端末装置２０、販売サイト提供装置２００、および動画投稿サイト提供装置３００と通信する。例えば、広告動画管理装置１００と運営者同士が提携関係にある販売サイト提供装置２００により提供されたウェブサイト内に商品等が掲載され、当該商品等の取扱いが開始されると、通信部１０２は、販売サイト提供装置２００から、新規に取扱いが開始された商品等の商品等識別情報（以下、商品等ＩＤと称する）と、商品等の掲載を販売サイト提供装置２００に依頼した広告依頼者の識別情報（以下、広告依頼者ＩＤと称する）とを受信する。
【００２７】
制御部１１０は、例えば、依頼処理部１１１と、リスト情報生成部１１２と、リンク情報生成部１１３と、支払決定部１１４とを含む。依頼処理部１１１、リスト情報生成部１１２、リンク情報生成部１１３および支払決定部１１４の一部または全部は、ＣＰＵなどのプロセッサが記憶部１２０に格納されたプログラムを実行することにより実現される。また、これらの一部または全部は、ＬＳＩ、ＡＳＩＣ、またはＦＰＧＡなどのハードウェアにより実現されてもよい。
【００２８】
記憶部１２０は、例えば、ＨＤＤ、フラッシュメモリ、ＥＥＰＲＯＭ、ＲＯＭ、またはＲＡＭなどにより実現される。記憶部１２０には、ファームウェアやアプリケーションプログラムなどの各種プログラム、通信部１０２により受信された情報などが記憶される。記憶部１２０は、例えば、リスト情報１２１と、リンク情報１２２と、動画作成者評価情報１２３とを記憶する。
【００２９】
依頼処理部１１１は、通信部１０２により受信された商品等ＩＤが示す商品等に関する広告動画の作成依頼を、通信部１０２を用いて作成者側端末装置２０に送信する。
【００３０】
リスト情報生成部１１２は、通信部１０２により受信された広告依頼者ＩＤと商品等ＩＤに基づいて、動画作成者が広告動画を作成する際に参照する商品等の一覧を示すリスト情報１２１を生成する。リスト情報生成部１１２は、通信部１０２を用いて、依頼処理部１１１による作成依頼の送信と共に、生成したリスト情報１２１を作成者側端末装置２０に送信する。
【００３１】
図４は、リスト情報１２１の一例を示す図である。図示のように、リスト情報１２１は、例えば、広告依頼者の識別情報である広告依頼者ＩＤごとに、広告依頼者が出品等してウェブサイトに掲載した商品等の商品等ＩＤと、この商品等ＩＤが示す商品等の詳細情報とが対応付けられた情報である。商品等の詳細情報とは、例えば、商品の名称、商品のカテゴリ、価格等である。また、商品の詳細情報には、当該商品等が掲載されたウェブサイトのＵＲＬ（Uniform Resource Locator）が含まれてよい。作成依頼を受けた動画作成者は、この商品等ＩＤのリストの一覧から、広告動画内で紹介する商品等の商品等ＩＤを選択し、商品の詳細情報を参照することで広告動画を作成する。
【００３２】
リンク情報生成部１１３は、作成者側端末装置２０を介して投稿された広告動画を識別する情報である動画識別情報（以下、動画ＩＤと称する）と、広告動画内で紹介している商品等の商品等ＩＤとを互いに対応付けることで、これらの情報が対応付けられている情報をリンク情報１２２として生成する。
【００３３】
図５は、リンク情報１２２の一例を示す図である。図示のように、リンク情報１２２は、例えば、動画作成者の識別情報である動画作成者ＩＤごとに、商品等ＩＤと、動画ＩＤと、当該動画ＩＤが示す動画が掲載されたウェブページのアドレスを示すリンク先のＵＲＬとが対応付けられた情報である。動画作成者ＩＤは、作成者側端末装置２０等の装置を介して動画作成者により広告動画の作成依頼が受諾された場合に、広告動画管理装置１００により発行される。なお、繰り返し広告動画の作成依頼を受諾する作成者に対しては、一つの動画作成者ＩＤが発行されてよい。また、リンク情報１２２には、さらに、商品等ＩＤが示す商品等が掲載されたウェブページのアドレスを示すリンク先のＵＲＬが対応付けられてよい。
【００３４】
支払決定部１１４は、コンバージョンの成立の可否を判定し、コンバージョンが成立した場合に、動画作成者に報酬を支払うことを決定する。本実施形態におけるコンバージョンとは、動画作成者により作成された広告動画を視聴した利用者が、広告依頼者の期待する所定の行動をとったこと、と定義される。所定の行動とは、例えば、広告依頼者により販売される商品等を購入したり、広告依頼者により販売される商品等を掲載するウェブページにアクセスしたりすることである。例えば、支払決定部１１４は、動画作成者により作成された広告動画を視聴した利用者が、広告動画内で紹介される商品等を購入した場合に、コンバージョンが成立したと判定し、動画作成者に報酬を支払うことを決定する。また、例えば、支払決定部１１４は、動画作成者により作成された広告動画を視聴（再生）した利用者が、広告動画内で紹介される商品等を掲載するウェブページにアクセスした場合に、コンバージョンが成立したと判定し、動画作成者に報酬を支払うことを決定してもよい。これによって、広告動画管理装置１００は、広告動画ごとに購買行動の促進等の広告効果を評価することができる。この結果、動画作成者に適正な報酬が支払われることになる。
【００３５】
なお、報酬の支払いを決定するタイミングは、「コンバージョンが成立した度」である必要はなく、所定期間ごと（例えば毎日、１週間に１回など）に報酬の支払いが決定されてもよい。
【００３６】
また、支払決定部１１４は、コンバージョンが成立した場合に、動画作成者に対する報酬の支払いを広告依頼者にさせることを決定してもよい。例えば、支払決定部１１４は、動画作成者に対して支払う報酬額の一部または全部の費用を広告依頼者に請求し、この請求に応じた費用を動画作成者に対して支払うことを決定する。
【００３７】
支払決定部１１４により決定された支払いは、図示しない決済サーバなどが仲介することで実現される。
【００３８】
支払決定部１１４は、コンバージョンの成立履歴に基づいて、動画作成者評価情報１２３を生成する。図６は、動画作成者評価情報１２３の一例を示す図である。動画作成者評価情報１２３は、動画ＩＤごとに、情報の拡散能力や周囲に及ぼす影響の度合い等を評価した指標を対応付けた情報である。図示のように、例えば、この指標は、ＣＶＲ（Conversion Rate）によって表される。ＣＶＲとは、例えば、広告動画の再生数に対する、広告動画内で紹介した商品等の購買数の比率である。また、ＣＶＲは、広告動画の再生数に対する、広告動画内で紹介した商品等の掲載ウェブページのアクセス数、またはアクセス人数の比率であってもよい。
【００３９】
図７は、第１実施形態における販売サイト提供装置２００の構成の一例を示す図である。第１実施形態における販売サイト提供装置２００は、例えば、通信部２０２と、制御部２０４と、記憶部２１０とを含む。
【００４０】
通信部２０２は、例えば、ＮＩＣ等の通信インターフェースを含む。通信部２０２は、ネットワークＮＷを介して他装置と通信する。例えば、通信部２０２は、依頼者側端末装置１０からＨＴＴＰ（Hypertext Transfer Protocol）リクエストを受信する。
【００４１】
制御部２０４は、通信部２０２によりＨＴＴＰリクエストが受信されると、予め記憶部２１０に記憶させておいたウェブ画面生成情報２１１を読み出して、通信部２０２を用いて、ＨＴＴＰリクエストの送信元にウェブ画面生成情報２１１を送信する。ウェブ画面生成情報２１１は、例えば、ＨＴＭＬ（HyperText Markup Language）等が記述されたテキストデータや、スタイルシート、画像データ、動画データ、音声データである。例えば、依頼者側端末装置１０の画面において、所定のウェブブラウザの機能により、ウェブ画面生成情報２１１に基づいて販売サイトを構成するウェブページが描画される。以下、ウェブページが表示された画面を「ウェブ画面」と称して説明する。
【００４２】
記憶部２１０は、例えば、ＨＤＤ、フラッシュメモリ、ＥＥＰＲＯＭ、ＲＯＭ、またはＲＡＭなどにより実現される。記憶部２１０には、ファームウェアやアプリケーションプログラムなどの各種プログラム、通信部２０２により受信された情報などが記憶される。記憶部２１０は、例えば、上述したウェブ画面生成情報２１１と、広告依頼者マスタ情報２１２と、依頼条件マスタ情報２１３と、商品等マスタ情報２１４とを記憶する。各種マスタ情報については後述する。
【００４３】
図８は、第１実施形態における動画投稿サイト提供装置３００の構成の一例を示す図である。第１実施形態における動画投稿サイト提供装置３００は、例えば、通信部３０２と、制御部３０４と、記憶部３１０とを含む。
【００４４】
通信部３０２は、例えば、ＮＩＣ等の通信インターフェースを含む。通信部３０２は、ネットワークＮＷを介して他装置と通信する。例えば、通信部３０２は、作成者側端末装置２０からＨＴＴＰリクエストを受信する。
【００４５】
制御部３０４は、通信部３０２によりＨＴＴＰリクエストが受信されると、予め記憶部３１０に記憶させておいたウェブ画面生成情報３１１を読み出して、通信部３０２を用いて、ＨＴＴＰリクエストの送信元にウェブ画面生成情報３１１を送信する。ウェブ画面生成情報３１１は、例えば、ＨＴＭＬ等が記述されたテキストデータや、スタイルシート、画像データ、動画データ、音声データである。例えば、作成者側端末装置２０は、所定のウェブブラウザの機能により、ウェブ画面生成情報３１１に基づいて動画投稿サイトを構成するウェブページが描画されたウェブ画面を表示する。
【００４６】
記憶部３１０は、例えば、ＨＤＤ、フラッシュメモリ、ＥＥＰＲＯＭ、ＲＯＭ、またはＲＡＭなどにより実現される。記憶部３１０には、ファームウェアやアプリケーションプログラムなどの各種プログラム、通信部３０２により受信された情報などが記憶される。記憶部３１０は、例えば、上述したウェブ画面生成情報３１１を記憶する。
【００４７】
以下、第１実施形態における広告動画管理システム１の処理の流れについて説明する。図９は、第１実施形態における広告動画管理システム１の処理の流れの一例を示すシーケンス図である。本シーケンスでは、広告依頼者により販売される商品等が掲載されたウェブ画面に、広告動画が掲載されるまでの処理を説明する。以下、ウェブ画面に広告動画が掲載された場合、このウェブ画面を「広告画面」と称して説明する。
【００４８】
まず、依頼者側端末装置１０において、広告依頼者によって、販売サイトに商品等を掲載するために、販売サイト内で店舗を出店するための操作がなされる。例えば、広告依頼者は、販売サイト提供装置２００により提供される販売サイトに店舗を出店する場合、出店の登録を受け付けるウェブページのＵＲＬを選択（例えばクリック操作）またはタイプ入力する。依頼者側端末装置１０は、このウェブページに基づくウェブ画面を表示するためのＨＴＴＰリクエストを販売サイト提供装置２００に送信する（Ｓ１００）。
【００４９】
販売サイト提供装置２００は、依頼者側端末装置１０により送信されたＨＴＴＰリクエストに対応するウェブ画面生成情報２１１を読み出し、ウェブ画面生成情報２１１を、ＨＴＴＰリクエストの送信元である依頼者側端末装置１０に送信する（Ｓ１０１）。依頼者側端末装置１０は、ウェブ画面生成情報２１１に基づいて、ウェブ画面を表示する（Ｓ１０２）。
【００５０】
図１０は、依頼者側端末装置１０により表示される、販売サイト内に店舗を出店するためのウェブ画面の一例を示す図である。このウェブ画面は、例えば、販売サイトに店舗を出店する際に必要な各種情報を受け付ける入力画面として表示される。例えば、このウェブ画面には、代表者の氏名や住所、連絡先といった会社情報を入力する項目、出店予定の店舗で取り扱う商品等のカテゴリ（例えば家電や衣類、食品等）を選択する項目、銀行口座等の決済に必要な情報を入力する項目、動画作成依頼を、デフォルト登録通り自動的に行うか、商品等の登録の度に行うかを指定する項目、出品予定の商品等の広告動画を作成する動画作成者を選択する項目、各項目において入力または選択された情報を登録することを確定するボタン（以下、登録ボタンと称する）などが設けられる。また、図示していないが、動画作成依頼を原則的に行わないことを指定する項目が設けられてもよい。
【００５１】
動画作成者を選択する項目は、動画作成者の過去の動画作成実績に基づいて設定される。例えば、動画作成者を選択する項目の選択肢には、（１）動画作成者の条件を問わない、（２）過去に作成した広告動画の再生数が一定値以上である動画作成者のみに動画作成を許可する、（３）ＣＶＲ指標値が一定値以上である動画作成者のみに動画作成を許可する、（４）掲載する商品等のカテゴリに適合する動画作成者のみに動画作成を許可する、といった選択肢が用意される。ＣＶＲ指標値とは、動画作成者が作成した動画の動画ＩＤに基づいて導出される指標値である。ＣＶＲ指標値は、対象となる動画作成者の作成した１または複数の動画の動画ＩＤに対応するＣＶＲに対して、平均を求めたり、最大値を求めたり、加重和を求めたり、その他の任意の処理を行うことによって求められる。
【００５２】
また、動画作成者を選択する項目には、動画作成者の一覧がランキング形式で表されてもよいし、その項目に相当する部分に、ランキング形式で表示するウェブ画面へのリンクが貼られてもよい。例えば、動画作成者を選択する項目内において、広告動画の再生数やＣＶＲ指標値が大きい動画作成者から順番にソートされた状態で表示され、上位数名のみに動画作成を許可したり、動画作成者ごとに個別に動画作成を許可したりできるように設定されてよい。これによって、複数の動画作成者の候補が存在する場合に、広告依頼者は、これら複数の候補の中から、出品予定の商品等に相応しい広告動画の作成者を選択することができる。なお、動画作成者を選択する項目の選択により選出される動画作成者は一人であってもよいし、複数名であってもよい。
【００５３】
複数名の動画作成者が選択される場合、販売サイトに商品等を掲載するためのウェブ画面には、さらに一つの商品等に対して同時掲載する広告動画の数に上限数を設定する項目が含まれてよい。
【００５４】
また、動画作成者を選択する項目には、予めデフォルトの条件が設定され、この条件が広告依頼者等の利用者の操作により変更されない場合、このデフォルトの条件に従って動画作成者が選択されてよい。このデフォルトの条件は、例えば、上述した（１）から（４）のいずれかの条件が設定されてよい。
【００５５】
上述した動画作成者を選択する項目により選択された動画作成者は、特許請求の範囲における「所定の条件を満たす作成者」に相当する。
【００５６】
依頼者側端末装置１０は、図１０に示すウェブ画面に対して各種入力操作がなされ、登録ボタンが操作されると、店舗登録のために入力された情報（以下、店舗登録情報と称する）を、販売サイト提供装置２００に送信する（図９：Ｓ１０３）。なお、上述した図１０に示すウェブ画面において、初回に店舗登録がなされ、二回目以降のログイン時に、広告依頼者により動画作成者の条件が変更される場合には、広告依頼者ＩＤの入力を受け付けるログイン画面の表示の後に、動画作成者の条件のみを変更可能な画面が表示されてよい。これによって、広告依頼者は、簡便に動画作成者の条件を変更することができる。
【００５７】
販売サイト提供装置２００の制御部２０４は、店舗登録情報に基づいて、広告依頼者ＩＤを発行し、広告依頼者マスタ情報２１２と依頼条件マスタ情報２１３とを生成する（Ｓ１０４）。販売サイト提供装置２００は、発行した広告依頼者ＩＤを、メールや販売サイトの画面上で広告依頼者に通知する。
【００５８】
図１１は、広告依頼者マスタ情報２１２の一例を示す図である。図示のように、広告依頼者マスタ情報２１２は、広告依頼者ＩＤごとに会社情報や決済情報等が対応付けられた情報である。また、図１２は、依頼条件マスタ情報２１３の一例を示す図である。図示のように、依頼条件マスタ情報２１３は、広告依頼者ＩＤごとに動画作成者の条件が対応付けられた情報である。
【００５９】
販売サイト提供装置２００の制御部２０４は、通信部２０２を用いて、店舗登録情報の送信元の依頼者側端末装置１０に、店舗で販売する商品等を掲載するためのウェブ画面を生成させるウェブ画面生成情報２１１を送信する（図９：Ｓ１０５）。依頼者側端末装置１０は、ウェブ画面生成情報２１１に基づいて、ウェブ画面を表示する（Ｓ１０６）。
【００６０】
図１３は、依頼者側端末装置１０により表示される、販売サイトに商品等を掲載するためのウェブ画面の一例を示す図である。このウェブ画面は、図１０に示すウェブ画面において、「デフォルト登録」が選択された場合に表示される画面であり、販売サイトに掲載する商品等に関する情報を受け付ける入力画面として表示される。例えば、このウェブ画面には、上述したＳ１０４の処理で発行された広告依頼者ＩＤを入力する項目、掲載する商品等のカテゴリを選択する項目、掲載する商品等の説明を入力する項目、商品等の画像データ等を添付する項目、動画作成依頼の条件等についてデフォルト登録の通りに行うことを指示するボタンＢ１、および動画作成依頼の条件等を変更することを指示するボタンＢ２などが設けられている。なお、ボタンＢ１は、単にウェブ画面に対する入力内容を確定する「確定」ボタンのようなものであってよい。
【００６１】
図１４は、依頼者側端末装置１０により表示される、販売サイトに商品等を掲載するためのウェブ画面の他の一例を示す図である。このウェブ画面は、図１０に示すウェブ画面において、「商品等登録の度」が選択された場合に表示される画面であり、販売サイトに掲載する商品等に関する情報を受け付ける入力画面として表示される。また、図１３に示すウェブ画面においてボタンＢ２が操作された場合にも、図１４に示すウェブ画面に遷移してよい。例えば、このウェブ画面には、上述したＳ１０４の処理で発行された広告依頼者ＩＤを入力する項目、掲載する商品等のカテゴリを選択する項目、掲載する商品等の説明を入力する項目、商品等の画像データ等を添付する項目、事前設定された動画作成者の条件を確認する項目、広告動画および商品等の掲載の双方を依頼するボタンＢ３、商品等の掲載のみを依頼するボタンＢ４などが設けられている。
【００６２】
動画作成者の条件を確認する項目には、店舗登録時に設定した条件がデフォルトで表示され、この条件が広告依頼者等の利用者の操作により変更されない場合、このデフォルトの表示に対応する条件に従って動画作成者が選択される。一方、この条件が広告依頼者等の利用者の操作により変更された場合、変更された条件に従って動画作成者が選択される。
【００６３】
依頼者側端末装置１０は、図１３に示すウェブ画面に対して各種入力操作がなされ、ボタンＢ１が操作された場合、或いは、図１４に示すウェブ画面に対して各種入力操作がなされ、ボタンＢ３が操作された場合、商品等登録のために入力された情報（以下、商品等登録情報と称する）を、販売サイト提供装置２００に送信する（図９：Ｓ１０７）。なお、以下では、商品等の掲載のみを依頼するボタンＢ２が操作されなかった場合の処理の流れについては、説明を省略する。
【００６４】
販売サイト提供装置２００の制御部２０４は、商品等登録情報に基づいて、商品等ＩＤを発行し、商品等マスタ情報２１４を生成すると共に、広告依頼者により掲載の依頼がなされた商品等を販売するためのウェブ画面生成情報２１１を生成する（Ｓ１０８）。販売サイト提供装置２００は、発行した商品等ＩＤを、メールや販売サイトの画面上で広告依頼者に通知する。
【００６５】
図１５は、商品等マスタ情報２１４の一例を示す図である。図示のように、商品等マスタ情報２１４は、広告依頼者ＩＤごとに、商品等ＩＤと、この商品等ＩＤが示す商品等の詳細情報と、これら情報が入力された日時と、広告動画の作成依頼の有無とが対応付けられた情報である。
【００６６】
なお、販売サイト提供装置２００の制御部２０４は、店舗登録時に設定した条件が変更された場合、依頼条件マスタ情報２１３において、変更した広告依頼者の広告依頼者ＩＤに対応付けられた動画作成者の条件を更新してよい。
【００６７】
販売サイト提供装置２００の制御部２０４は、通信部２０２を用いて、生成した依頼条件マスタ情報２１３および商品等マスタ情報２１４を、広告動画管理装置１００に送信する（図９：Ｓ１０９）。
【００６８】
なお、上述したＳ１０２の処理において、広告依頼者により特定の動画作成者のみに動画作成の許可がされている場合、販売サイト提供装置２００の制御部２０４は、さらに動画作成が許可された動画作成者の動画作成者ＩＤを含めた依頼条件マスタ情報２１３または商品等マスタ情報２１４を広告動画管理装置１００に送信する。
【００６９】
広告動画管理装置１００のリスト情報生成部１１２は、商品等マスタ情報２１４の中から、広告動画の作成依頼の有りの商品等ＩＤに対応付けられた情報のみを抽出し、この抽出した情報内に含まれる広告依頼者ＩＤと商品等ＩＤとを互いに対応付けたリスト情報１２１を生成する（Ｓ１１０）。なお、リスト情報１２１の生成は、商品等マスタ情報２１４が受信されるタイミングで行われてもよいし、商品等マスタ情報２１４を記憶部１２０に蓄積しておいて、任意のタイミングで行われてもよい。
【００７０】
広告動画管理装置１００の依頼処理部１１１は、通信部１０２を用いて、リスト情報生成部１１２により生成されたリスト情報１２１を包含した作成依頼を、作成者側端末装置２０に送信する（Ｓ１１１）。例えば、依頼処理部１１１は、依頼条件マスタ情報２１３を参照し、リスト情報１２１に含まれる広告依頼者ＩＤに対応する条件を満たす動画作成者が利用する作成者側端末装置２０のみに作成依頼を送信する。なお、広告動画管理装置１００の依頼処理部１１１は、通信部１０２により受信された依頼条件マスタ情報２１３または商品等マスタ情報２１４に、動画作成者ＩＤが含まれている場合、動画作成者ＩＤが示す動画作成者が利用する作成者側端末装置２０のみにリスト情報１２１を含む作成依頼を送信してよい。
【００７１】
作成者側端末装置２０は、リスト情報１２１に基づく画像を画面に表示し、動画作成者に、リスト情報１２１が示す商品等の一覧の中から、広告動画内で紹介する商品等を選択させる（Ｓ１１２）。
【００７２】
例えば、動画作成者は、選択した商品等について広告動画を作成し、この広告動画を動画投稿サイトに投稿する前に、事前に広告依頼者に対して投稿する旨を予告するために、作成者側端末装置２０を利用して、作成した広告動画を広告動画管理装置１００に送信する（Ｓ１２０）。広告動画管理装置１００は、作成者側端末装置２０から受信した広告動画を中継して、依頼者側端末装置１０に送信する（Ｓ１２２）。
【００７３】
依頼者側端末装置１０は、受信した広告動画を再生し、広告依頼者からの採用または不採用の操作を受け付ける（Ｓ１２４）。依頼者側端末装置１０は、広告依頼者により採用する旨の操作を受け付けた場合、その採用する旨の操作を示す情報（以下、採用情報と称する）を広告動画管理装置１００に送信する（Ｓ１２６）。例えば、上述したＳ１０２の処理において、同時掲載する広告動画の上限数が２つに設定された場合に、３名の動画作成者のそれぞれにより１つの広告動画が作成されると、広告依頼者は、依頼者側端末装置１０を操作して、計３つの広告動画のうち１つ以上を不採用にし、これを除いた広告動画を採用する。依頼者側端末装置１０は、この採用情報を広告動画管理装置１００に送信する。
【００７４】
広告動画管理装置１００は、依頼者側端末装置１０から受信した採用情報を中継して作成者側端末装置２０に送信する（Ｓ１２８）。この際、広告動画管理装置１００の制御部１１０は、採用情報の受信回数を広告依頼者ＩＤごとにカウントするとともに、広告動画の送信回数を動画作成者ＩＤごとにカウントし、これらカウントした回数を記憶部１２０に記憶させておく。なお、投稿動画および採用情報は、広告動画管理装置１００を介さずに、依頼者側端末装置１０と作成者側端末装置２０との間で直接的に送受信されてもよい。この場合、採用情報の受信回数や広告動画の送信回数は、依頼者側端末装置１０と作成者側端末装置２０とのいずれかから通知を受けることでカウントされてよい。
【００７５】
作成者側端末装置２０は、採用情報を受信すると、表示部２２等に画像を表示したり音声出力したりすることで、採用されたことを動画作成者に通知する。これを受けて、動画作成者は、作成者側端末装置２０を利用して、動画投稿サイト提供装置３００により提供される動画投稿サイトに広告動画を投稿する（Ｓ１３０）。
【００７６】
動画投稿サイト提供装置３００の制御部３０４は、動画投稿サイトに広告動画が投稿されると、広告動画を動画投稿サイトの一部として記憶部３１０に記憶させると共に、この広告動画を識別する動画ＩＤを発行する（Ｓ１３２）。動画投稿サイト提供装置３００は、発行した動画ＩＤを、例えば、メールや動画投稿サイトの画面上で動画作成者に通知する（Ｓ１３４）。動画ＩＤは、例えば、広告動画が掲載されるウェブページのＵＲＬであってもよいし、当該ＵＲＬに付加される情報であってもよい。
【００７７】
動画作成者は、自身の動画作成者ＩＤ、広告動画内で紹介した商品等の商品等ＩＤ、通知された動画ＩＤ、および広告動画が掲載されたウェブページのＵＲＬを作成者側端末装置２０に入力することで、これら情報を、作成者側端末装置２０を介して広告動画管理装置１００に送信する（Ｓ１４０）。
【００７８】
広告動画管理装置１００のリンク情報生成部１１３は、動画作成者ＩＤごとに、商品等ＩＤと、動画ＩＤと、リンク先のＵＲＬとを対応付けてリンク情報を生成する（Ｓ１４２）。なお、動画ＩＤがウェブページのＵＲＬである場合は、リンク情報に含まれるＵＲＬの情報は省略されてよい。
【００７９】
リンク情報生成部１１３は、さらに、同一商品等のそれぞれの商品等ＩＤ同士を互いに対応付けてもよい。例えば、リンク情報生成部１１３は、記憶部１２０に予め記憶させておいた商品等ＩＤのマスターデータを参照し、このマスターデータと一致する商品等ＩＤが複数存在する場合に、これら複数の商品等ＩＤを互いに対応付ける。また、リンク情報生成部１１３は、商品等ＩＤに対応付けられた詳細情報の画像データから、特徴点マッチング等の画像処理を行って同一商品等を抽出し、これら抽出した同一商品等の商品等ＩＤを互いに対応付けてもよい。
【００８０】
上述した一連の処理の後、例えば、一般利用者によって、販売サイト提供装置２００により提供される販売サイトが閲覧される。例えば、一般利用者が検索エンジン等を利用して閲覧を試みたウェブページ（ＵＲＬ等がクリック操作されたウェブページ）が、広告依頼者により販売される商品等を掲載したウェブページである場合、販売サイト提供装置２００は、一般利用者が利用する端末装置から、広告依頼者により販売される商品等を掲載したウェブページのＵＲＬに基づくＨＴＴＰリクエストを受信する（Ｓ１５０）。
【００８１】
販売サイト提供装置２００の制御部２０４は、ＨＴＴＰリクエストに対応するウェブページ内に掲載される商品等の商品等ＩＤに対応する広告動画が存在するか否かを広告動画管理装置１００に問い合わせる（Ｓ１５２）。例えば、販売サイト提供装置２００の制御部２０４は、ＨＴＴＰリクエストに対応するウェブページのＵＲＬの中から商品等ＩＤを抽出し、この商品等ＩＤを広告動画管理装置１００に送信することで、送信した商品等ＩＤに対応付けられた動画ＩＤが存在するか否かを広告動画管理装置１００に判定させる。
【００８２】
広告動画管理装置１００のリンク情報生成部１１３は、記憶部１２０に記憶させたリンク情報１２２を参照することで、商品等ＩＤに対応する動画ＩＤが存在するか否かを判定し、動画ＩＤが存在する場合に当該動画ＩＤが示す動画のリンク先のＵＲＬを抽出する（Ｓ１５４）。なお、動画作成を許可された動画作成者が複数存在し、一つの商品等ＩＤに対して複数の動画ＩＤが対応付けられている場合、リンク情報生成部１１３は、複数の動画ＩＤにそれぞれ対応するＵＲＬを抽出する。
【００８３】
リンク情報生成部１１３は、通信部１０２を用いて、抽出したＵＲＬの情報を販売サイト提供装置２００に送信する（Ｓ１５６）。なお、リンク情報生成部１１３は、複数のＵＲＬの情報を抽出している場合、例えば、図５で示したリンク情報１２２および図６で示した動画作成者評価情報１２３を参照して動画作成者ごとのＣＶＲ指標値を導出し、これに基づいて、複数のＵＲＬの中から、送信対象のＵＲＬを選択してよい。例えば、リンク情報生成部１１３は、ＣＶＲ指標値の高い上位数名の動画作成者により作成された広告動画のＵＲＬのみを送信する。
【００８４】
販売サイト提供装置２００は、ＨＴＴＰリクエストに対応するウェブページ内に広告動画管理装置１００から受信した広告動画のＵＲＬを付加し、広告動画と商品等が掲載されたウェブ画面のウェブ画面生成情報２１１をＨＴＴＰレスポンスとして、一般利用者が利用する端末装置に送信する（Ｓ１５８）。例えば、販売サイトのウェブ画面において、広告動画のサムネイル画像等がクリック操作などで選択されると、一般利用者が利用する端末装置は、ＲＳＴＰ（Rapid Spanning Tree Protocol）等の通信プロトコルに基づいて、選択された広告動画の動画データを動画投稿サイト提供装置３００から取得し、画面上で再生する。これによって、一般利用者が利用する端末装置には、広告動画と商品等が掲載されたウェブページが描画された広告画面が表示される。以下、リンク情報生成部１１３が販売サイト提供装置２００に広告動画のＵＲＬを送信することで、販売サイトのウェブページに広告動画を掲載することを、「ウェブページに広告動画のＵＲＬをリンクとして貼り付ける」と表現して説明する場合がある。
【００８５】
図１６は、一般利用者が利用する端末装置の画面の一例を示す図である。図示のように、販売サイトの商品等掲載ページには、商品等の価格や商品サイズ等の情報とともに、広告動画（図中ＶＤ）が掲載される。広告動画ＶＤは、例えば、一般利用者が操作することで再生が開始される。
【００８６】
図１７は、第１実施形態における販売サイト提供装置２００の処理の流れの一例を示すフローチャートである。本フローチャートの処理は、例えば、依頼者側端末装置１０において、販売サイトに店舗を新規に出店する操作がなされた場合、あるいは出店済みの店舗のウェブページに商品等を掲載する操作がなされた場合に実施される。従って、本フローチャートの処理において、販売サイト提供装置２００は、新規出店の要求、または商品等掲載の要求のいずれかを依頼者側端末装置１０から受信することを前提に説明する。
【００８７】
まず、販売サイト提供装置２００の制御部２０４は、通信部２０２により、新規出店の要求が受信されたか否かを判定する（Ｓ２００）。新規出店の要求が受信された場合、制御部２０４は、通信部２０２を用いて、販売サイト内に店舗を登録するためのウェブ画面（図１０参照）を生成させるウェブ画面生成情報２１１を依頼者側端末装置１０に送信する（Ｓ２０２）。
【００８８】
次に、制御部２０４は、通信部２０２により、店舗登録情報が受信されるまで待機し（Ｓ２０４）、店舗登録情報が受信されると、広告依頼者ＩＤを発行する（Ｓ２０６）。次に、制御部２０４は、発行した広告依頼者ＩＤを用いて、広告依頼者マスタ情報２１２と依頼条件マスタ情報２１３とを生成する（Ｓ２０８）。
【００８９】
一方、新規出店の要求が受信されない場合、制御部２０４は、この要求の代わりに受信される商品等掲載の要求に基づいて、販売サイト内に商品等を掲載するためのウェブ画面（図１３または図１４参照）を生成させるウェブ画面生成情報２１１を生成し、通信部２０２を用いて、生成したウェブ画面生成情報２１１を依頼者側端末装置１０に送信する（Ｓ２１０）。
【００９０】
次に、制御部２０４は、通信部２０２により、商品等登録情報が受信されるまで待機し（Ｓ２０４）、商品等登録情報が受信されると、商品等ＩＤを発行する（Ｓ２１４）。次に、制御部２０４は、発行した商品等ＩＤを用いて、商品等マスタ情報２１４を生成する（Ｓ２１６）。次に、制御部２０４は、通信部２０２を用いて、商品等マスタ情報２１４および依頼条件マスタ情報２１３を広告動画管理装置１００に送信する（Ｓ２１８）。
【００９１】
なお、制御部２０４は、商品等マスタ情報２１４の中から、広告動画の作成依頼の有りの商品等ＩＤに対応付けられた情報のみを抽出し、この抽出した情報内に含まれる広告依頼者ＩＤと商品等ＩＤとを互いに対応付けたリスト情報１２１を生成してもよい。この場合、制御部２０４は、通信部２０２を用いて、リスト情報１２１および依頼条件マスタ情報２１３を広告動画管理装置１００に送信する。これによって、本フローチャートの処理が終了する。
【００９２】
図１８は、第１実施形態における広告動画管理装置１００の処理の流れの一例を示すフローチャートである。まず、リスト情報生成部１１２は、通信部１０２により、商品等マスタ情報２１４および依頼条件マスタ情報２１３が受信されるまで待機する（Ｓ３００）。これらの情報は、同時に受信される必要はなく、Ｓ３００の判定は、商品等マスタ情報２１４および依頼条件マスタ情報２１３が別々のタイミングで受信されて両方の情報が「揃った」か否かを判定するものであってよい。これらの情報が受信されると、商品等マスタ情報２１４の中から、広告動画の作成依頼の有りの商品等ＩＤに対応付けられた情報のみを抽出し、この抽出した情報内に含まれる広告依頼者ＩＤと商品等ＩＤとを互いに対応付けたリスト情報１２１を生成する（Ｓ３０２）。なお、広告動画管理装置１００は、販売サイト提供装置２００からリスト情報１２１を受信した場合、Ｓ３０２の処理を行わずに、Ｓ３０４に処理を移してよい。
【００９３】
次に、依頼処理部１１１は、通信部１０２を用いて、リスト情報生成部１１２により生成されたリスト情報１２１（または販売サイト提供装置２００から受信したリスト情報１２１）を包含した作成依頼を、依頼条件マスタ情報２１３の条件を満たす動画作成者の作成者側端末装置２０に送信する（Ｓ３０４）。次に、制御部１１０は、通信部１０２により、作成者側端末装置２０から広告動画が受信されるまで待機し（Ｓ３０６）、広告動画が受信されると、通信部１０２を用いて、この広告動画を依頼者側端末装置１０に送信する（Ｓ３０８）。
【００９４】
次に、制御部１１０は、通信部１０２により、依頼者側端末装置１０から採用情報が受信されたか否かを判定する（Ｓ３１０）。例えば、通信部１０２により、所定時間が経過しても依頼者側端末装置１０から採用情報が受信されない場合、或いは、採用しない旨を示す情報が受信された場合、制御部１１０は、本フローチャートの処理を終了する。
【００９５】
一方、通信部１０２により、所定時間以内に依頼者側端末装置１０から採用情報が受信された場合、制御部１１０は、通信部１０２を用いて、採用情報を作成者側端末装置２０に送信する（Ｓ３１２）。
【００９６】
次に、リンク情報生成部１１３は、通信部１０２により、作成者側端末装置２０から動画作成者ＩＤ、商品等ＩＤ、動画ＩＤ、およびウェブページのＵＲＬが受信されるまで待機し（Ｓ３１４）、これらの情報が受信されると、リンク情報生成部１１３は、リンク情報１２２を生成する（Ｓ３１６）。
【００９７】
次に、リンク情報生成部１１３は、販売サイト提供装置２００から通知される商品等ＩＤと、生成したリンク情報１２２とに基づいて、商品等が掲載されたウェブページに広告動画のＵＲＬをリンクとして貼り付ける（Ｓ３１８）。この際、リンク情報生成部１１３は、広告動画のＵＲＬにトラッキング情報を付加してよい。トラッキング情報とは、販売サイトを介して動画投稿サイトにアクセスしたことを特定するための情報である。例えば、リンク情報生成部１１３は、広告動画のＵＲＬに、販売サイトのウェブページのＵＲＬの一部（例えば商品等ＩＤ）や、予め設定した変数情報などをトラッキング情報として付加する。
【００９８】
次に、支払決定部１１４は、コンバージョンが成立したか否かを判定する（Ｓ３２０）。例えば、動画投稿サイト提供装置３００は、広告動画のＵＲＬに販売サイトに関するトラッキング情報が含まれる場合、販売サイトを介して再生された広告動画の動画ＩＤを広告動画管理装置１００に送信する。また、販売サイト提供装置２００は、ウェブページの商品等が購入された場合、当該ウェブページ内の広告動画が再生されているか否かを判定し、広告動画が再生されている場合に、この広告動画の動画ＩＤと、購入された商品等の商品等ＩＤとを包含した情報を広告動画管理装置１００に送信する。広告動画管理装置１００の支払決定部１１４は、動画投稿サイト提供装置３００から受信した情報に含まれる動画ＩＤと、販売サイト提供装置２００から受信した情報に含まれる動画ＩＤとが一致し、且つリンク情報１２２において動画ＩＤに対応する商品等ＩＤと、販売サイト提供装置２００から受信した情報に含まれる商品等ＩＤとが一致する場合に、コンバージョンが成立したと判定する。
【００９９】
また、支払決定部１１４は、広告動画の再生に伴って生成される管理情報の有無に基づいて、コンバージョンが成立したか否かを判定してもよい。例えば、販売サイト内で広告動画が再生されると、広告動画のＵＲＬ元である動画投稿サイトを提供する動画投稿サイト提供装置３００は、広告動画を再生した端末装置と広告動画管理装置１００とに管理情報を送信する。管理情報とは、例えば、ウェブブラウザごとに管理されるクッキー（HTTP cookie）またはWeb Storage機能に関する情報である。一方、販売サイト内で商品等が購入された場合、販売サイト提供装置２００は、商品等の購入に利用された端末装置から管理情報を取得し、取得した管理情報を広告動画管理装置１００に送信する。広告動画管理装置１００の支払決定部１１４は、販売サイト提供装置２００から受信した管理情報が、動画投稿サイト提供装置３００により生成された管理情報であるか否かを判定し、これら管理情報が一致する場合に、コンバージョンが成立したと判定する。
【０１００】
支払決定部１１４は、コンバージョンが成立した場合、例えば、上述したリンク情報１２２において、再生された広告動画の動画ＩＤに対応する動画作成者ＩＤが示す動画作成者に報酬を支払うことを決定する（Ｓ３２２）。例えば、支払決定部１１４は、コンバージョン成立時の商品等の購買実績を示す情報に基づいて、動画作成者に支払う報酬額を決定する。なお、支払決定部１１４は、コンバージョンが成立したタイミングに限られず、一定期間に亘りコンバージョンの成立可否の監視を行って、ＣＶＲが良好な（ＣＶＲが閾値以上である）広告動画についてのみ報酬を決定してもよい。
【０１０１】
図１９は、購買実績の情報の一例を模式的に示す図である。図に示すように、例えば、購入実績の情報は、動画作成者（動画作成者ＩＤ）ごとに管理され、広告依頼者ＩＤごとに、採用された動画数と作成された広告動画数との比率や、広告動画の再生数、動画再生後に商品等を購入した購入者数といった情報が対応付けられている。例えば、採用された動画数は、採用情報の受信回数に相当し、作成された広告動画数は、広告動画の送信回数に相当する。
【０１０２】
例えば、支払決定部１１４は、上述した比率が高い、広告動画の再生数が多い、または購入者数が多いような動画作成者ほど支払う報酬額を大きくし、比率が低い、広告動画の再生数が少ない、または購入者数が少ないような動画作成者ほど支払う報酬額を小さくする。
【０１０３】
また、支払決定部１１４は、動画作成者に対する報酬の支払いを広告依頼者にさせる場合、上述した商品等の購買実績を示す情報に基づいて、広告依頼者に請求する費用の請求額を決定する。例えば、支払決定部１１４は、上述した比率が高い、広告動画の再生数が多い、または購入者数が多いほど請求額を大きくし、比率が低い、広告動画の再生数が少ない、または購入者数が少ないほど請求額を小さくする。そして、支払決定部１１４は、請求した費用の一部または全部を報酬として動画作成者に支払うことを決定する。
【０１０４】
以上説明した第１実施形態の広告動画管理システム１によれば、広告依頼者により通知された、商品またはサービスを広告するための広告動画の作成依頼を、動画作成者が利用する作成者側端末装置２０に送信し、この作成依頼に基づいて動画作成者が作成した広告動画と、この広告動画により紹介される商品等とを互いに対応付けたリンク情報１２２を生成し、生成したリンク情報１２２を参照して、広告動画を作成した作成者に報酬を支払うことを決定することで、動画の作成意欲を喚起して、ネットワークにおける経済活動を活発化させることができる。例えば、広告動画管理装置１００と販売サイト提供装置２００とが同一の管理会社によって運営される場合、当該管理会社から動画作成者に報酬を支払った場合でも、広告動画による集客効果や宣伝効果等によって販売サイトの売り上げが向上しやすくなるため、管理会社の利益を向上させることができる。
【０１０５】
また、上述した第１実施形態の広告動画管理システム１によれば、動画作成者に対する報酬の一部または全部を、広告依頼者に請求するため、よりネットワークにおける経済活動を活発化させることができる。
【０１０６】
また、上述した第１実施形態の広告動画管理システム１によれば、販売サイト提供装置２００と広告動画管理装置１００とが分かれていることにより、広告動画が掲載される販売サイトが多岐に亘り、販売サイト提供装置２００が複数存在する場合であっても、これら複数の販売サイト提供装置２００との間で行われる、コンバージョン成立可否を判断するためのトラッキング処理を一つの広告動画管理装置１００に一元化することができる。この結果、広告動画管理システム１を簡素な構成にすることができ、情報処理が複雑になるのを抑制することができる。
【０１０７】
＜第２実施形態＞
以下、第２実施形態について説明する。第２実施形態の広告動画管理システム２では、広告依頼者からの広告動画の作成依頼がない場合であっても、当該広告依頼者により販売される商品等が掲載されたウェブページに広告動画を掲載する点で上述した第１実施形態と相違する。従って、この相違点を中心に説明し、第１実施形態と共通する点については説明を省略する。なお、第２実施形態の説明において、第１実施形態と同じ部分については同一符号を付する。
【０１０８】
第２実施形態では、例えば、上述した図１４に示すウェブ画面において、商品等の掲載のみを依頼するボタンＢ４が操作されることで、動画作成者を選択する項目等が未選択の状態で広告動画の作成依頼がなされずに、販売サイト提供装置２００が提供する販売サイトに商品等が掲載される。この場合、第２実施形態における広告動画管理装置１００Ａのリスト情報生成部１１２は、作成依頼をした広告依頼者の広告依頼者ＩＤと商品等ＩＤとを互いに対応付けたリスト情報と、作成依頼をしない広告依頼者の広告依頼者ＩＤと商品等ＩＤとを互いに対応付けたリスト情報とを生成する。以下、作成依頼がない方のリスト情報を、依頼なしリスト情報１２１ａと称し、作成依頼がある方のリスト情報を、依頼ありリスト情報１２１ｂと称して説明する。
【０１０９】
これら２種類のリスト情報のうち、依頼ありリスト情報１２１ｂに基づいて、動画作成者により広告動画が作成されると、リンク情報生成部１１３は、上述した第１実施形態と同様に、ウェブページに広告動画のＵＲＬをリンクとして貼り付けてウェブ画面に広告動画を掲載する。
【０１１０】
一方、リスト情報生成部１１２により依頼なしリスト情報１２１ａが生成されると、依頼処理部１１１は、通信部１０２を用いて、依頼なしリスト情報１２１ａに含まれる商品等の広告動画については無償提供（報酬なし）になる可能性があることを通知することで、動画作成者の任意で広告動画を作成してもらう。例えば、依頼なしリスト情報１２１ａに基づいて動画作成者により広告動画が作成された場合、依頼処理部１１１は、通信部１０２を用いて、動画作成者が自主的に作成した広告動画を、販売サイト提供装置２００を介して、作成依頼をしていない広告依頼者が利用する依頼者側端末装置１０に送信することで、この広告動画を採用するか否かを選択させる。
【０１１１】
広告依頼者により、広告依頼のない状態で動画作成者が自主的に作成した広告動画が採用された場合、すなわち、通信部１０２が依頼者側端末装置１０から販売サイト提供装置２００を介して採用情報を受信した場合、依頼処理部１１１は、広告動画および商品等の掲載の双方を依頼するボタンＢ１が操作されるのと同様に、広告依頼がなされたものとして扱う。この場合、リンク情報生成部１１３は、依頼なしリスト情報１２１ａに基づいて、ウェブページに広告動画のＵＲＬをリンクとして貼り付けてウェブ画面に広告動画を掲載する。
【０１１２】
リンク情報生成部１１３は、作成依頼をした広告依頼者により販売される商品等の販売サイトのウェブページには、作成依頼に基づいて作成された広告動画を掲載する。また、リンク情報生成部１１３は、作成依頼をしていない広告依頼者により販売される商品等の販売サイトのウェブページには、動画作成者が自主的に作成した広告動画を掲載する。
【０１１３】
図２０は、広告動画のＵＲＬをリンクとして貼り付ける様子を模式的に示す図である。図示のように、例えば、広告依頼者Ａ、Ｂ、Ｃのうち、広告依頼者Ａのみが広告動画の作成依頼を事前にしている。動画作成者は、作成依頼の有無に関わらす、広告依頼者Ａ、Ｂ、Ｃのそれぞれにより販売される商品等の広告動画を作成する。広告動画Ａは、広告依頼者Ａにより販売される商品等の広告動画であり、広告動画Ｂは、広告依頼者Ｂが扱う商品等の広告動画であり、広告動画Ｃは、広告依頼者Ｃにより販売される商品等の広告動画である。また、販売サイトＸは、広告依頼者Ａにより販売される商品等の掲載されるサイトであり、販売サイトＹは、広告依頼者Ｂにより販売される商品等の掲載されるサイトであり、販売サイトＺは、広告依頼者Ｃにより販売される商品等の掲載されるサイトである。
【０１１４】
リンク情報生成部１１３は、動画作成者により作成された広告動画Ａ、Ｂ、Ｃのうち、作成依頼に基づいて作成された広告動画Ａを、作成依頼元である広告依頼者Ａの販売サイトＸに掲載する。また、リンク情報生成部１１３は、作成依頼なしで作成された広告動画Ｂを、販売サイトＹに掲載し、作成依頼なしで作成された広告動画Ｃを、販売サイトＺに掲載する。なお、広告動画ＢおよびＣにより紹介される商品等が同一商品等である場合、リンク情報生成部１１３は、さらに、販売サイトＹに掲載された商品等を紹介する広告動画Ｂを、販売サイトＺに掲載し、販売サイトＺに掲載された商品等を紹介する広告動画Ｃを、販売サイトＹに掲載してもよい。
【０１１５】
以上説明した第２実施形態における広告動画管理システム２によれば、広告依頼が無い場合であっても広告動画の作成を依頼し、作成された広告動画を販売サイトのウェブページに掲載するため、さらに販売サイトの売り上げが向上しやすくなる。この結果、第２実施形態における広告動画管理システム２によれば、上述した第１実施形態と同様に、動画の作成意欲を喚起して、ネットワークにおける経済活動を活発化させることができる。
【０１１６】
＜第３実施形態＞
以下、第３実施形態について説明する。第３実施形態の広告動画管理システム３では、動画投稿サイト内に、広告動画で紹介する商品等が販売されるウェブページのリンクを付す点で上述した第１または第２実施形態と相違する。従って、この相違点を中心に説明し、第１または第２実施形態と共通する点については説明を省略する。
【０１１７】
図２１は、第３実施形態における動画投稿サイトの一つのウェブページを模式的に示す図である。図示のように、例えば、動画投稿サイト内において、広告動画は、ランキング形式で再生数の多いものから順に掲載されている。この際、広告動画には、動画内で紹介される商品等が販売されるウェブページのリンクとしてＵＲＬが付される。このＵＲＬは、例えば、上述したトラッキング情報を含み、アノテーション情報（図中ＡＴ）として動画内、或いは動画付近に付される。第３実施形態において、トラッキング情報には、動画投稿サイトのウェブページのＵＲＬの一部（例えば動画ＩＤ）等が含まれる。端末装置を介して利用者によりアノテーション情報が選択操作されると、端末装置のウェブ画面において、動画投稿サイトのウェブページから、アノテーション情報により示されるウェブページ、すなわち販売サイトのウェブページに遷移する。これにより、動画視聴と共に、商品等の販売サイトに簡易にアクセスすることができるため、一般利用者の利便性を高めることができる。
【０１１８】
図２２は、第３実施形態における広告動画管理システム３の処理の流れの一例を示すシーケンス図である。本シーケンスでは、上述した図９のシーケンスのＳ１００からＳ１４２の処理が行われた状態で実施される。
【０１１９】
例えば、一般利用者によって、動画投稿サイト提供装置３００により提供される動画投稿サイトが閲覧される場合がある。例えば、一般利用者が、端末装置３０を操作することで広告動画を再生する場合、この端末装置３０は、再生対象の広告動画が掲載されたウェブページのＵＲＬに基づくＨＴＴＰリクエストを動画投稿サイト提供装置３００に送信する（Ｓ４００）。
【０１２０】
動画投稿サイト提供装置３００は、このＨＴＴＰリクエストを受信すると、ＨＴＴＰリクエストに対応する広告動画の動画ＩＤに対応付けられた商品等の販売サイトのウェブページのＵＲＬを広告動画管理装置１００Ｂに問い合わせる（Ｓ４０２）。
【０１２１】
広告動画管理装置１００のリンク情報生成部１１３は、記憶部１２０に記憶させたリンク情報１２２を参照することで、ＨＴＴＰリクエストに対応する広告動画の動画ＩＤに対応する商品等ＩＤが存在するか否かを判定し、商品等ＩＤが存在する場合に当該商品等ＩＤが示す商品等の掲載ページのＵＲＬを抽出する（Ｓ４０４）。
【０１２２】
リンク情報生成部１１３は、通信部１０２を用いて、抽出したＵＲＬの情報を動画投稿サイト提供装置３００に送信する（Ｓ４０６）。
【０１２３】
動画投稿サイト提供装置３００の制御部３０４は、ＨＴＴＰリクエストに対応するウェブページ内に広告動画管理装置１００Ｂから受信した商品等の掲載ページのＵＲＬをアノテーション情報として付加し、広告動画内、或いは広告動画付近にアノテーション情報が付された動画投稿サイトのウェブ画面生成情報３１１を生成する（Ｓ４０８）。動画投稿サイト提供装置３００の制御部３０４は、通信部３０２を用いて、生成したウェブ画面生成情報３１１をＨＴＴＰレスポンスとして、一般利用者が利用する端末装置３０に送信する（Ｓ４１０）。
【０１２４】
一般利用者の端末装置３０は、動画投稿サイト提供装置３００から受信したウェブ画面生成情報３１１に基づいて広告動画がランキング形式で表示された広告画面を描画する（Ｓ４１２）。例えば、一般利用者が端末装置３０を操作して、広告画面上に表示されたアノテーション情報をクリック操作等した場合、アノテーション情報に対応付けられたＵＲＬを参照して、販売サイト提供装置２００にＨＴＴＰリクエストを送信する（Ｓ４１４）。
【０１２５】
販売サイト提供装置２００の制御部２０４は、上述したＳ１０８の処理において生成しておいたウェブ画面生成情報２１１の中からＨＴＴＰリクエストに対応するウェブ画面生成情報２１１を記憶部２１０から読み出し（Ｓ４１６）、通信部２０２を用いて、このウェブ画面生成情報２１１をＨＴＴＰレスポンスとして一般利用者の端末装置３０に送信する（Ｓ４１８）。これを受けて、一般利用者の端末装置３０のウェブ画面には、広告動画内で紹介される商品等が販売されるウェブページが表示される（Ｓ４２０）。
【０１２６】
第３実施形態における広告動画管理装置１００Ｂのリンク情報生成部１１３は、上述したＳ４１４やＳ４１８の通信処理を監視し、アノテーション情報が示すＵＲＬのトラッキング情報に基づいて、端末装置３０において、広告動画内で紹介された商品等が掲載されたウェブ画面に遷移する前の広告画面として表示されたウェブページを特定する（Ｓ４２６）。すなわち、リンク情報生成部１１３は、販売サイトの商品等の掲載ウェブページをアクセスする契機となった広告動画を特定する。例えば、ページ遷移先の販売サイトにおいて利用者が所定の行動として商品等を購入した場合、支払決定部１１４は、リンク情報生成部１１３により特定された広告動画の動画ＩＤに対応する動画作成者ＩＤが示す動画作成者に対して報酬を支払うことを決定する（Ｓ４２８）。
【０１２７】
以上説明した第３実施形態における広告動画管理システム３によれば、動画投稿サイトから販売サイトに利用者のアクセスを誘導できるため、上述した第１または第２実施形態と同様に、動画の作成意欲を喚起して、ネットワークにおける経済活動を活発化させることができる。
【０１２８】
＜その他＞
上述した各実施形態において、広告動画は、ウェブブラウザが提供するウェブ画面に掲載されるものとして説明したが、これに限られない。例えば、広告動画は、アプリケーションソフトウェアが提供する画面（以下、アプリ画面と称する）に掲載されてよい。アプリケーションソフトウェアは、例えば、広告依頼者の商品等を掲載することで販売するアプリケーションであり、アプリ画面上で商品等の画像やコメント、広告動画等を表示する際に、これらの表示位置を予め定められた位置に配置するためのプログラムコードを有している。例えば、一般利用者が利用者する端末装置において、上記アプリケーションソフトウェアが起動された場合、この端末装置は、動画投稿サイト提供装置３００に、リクエストを送信し、このリクエストに対するレスポンスとして広告動画の動画データを取得する。そして、端末装置は、取得した動画データを、予め設定された表示領域で再生する。商品等が購入されることで表示されるアプリ画面（例えば、決済完了を通知する画面）が表示された場合、端末装置は、再生された動画データの動画ＩＤと、購入された商品等の商品等ＩＤとを広告動画管理装置１００に送信する。これによって、広告動画管理装置１００は、リンク情報１２２と、受信した動画ＩＤおよび商品等ＩＤとの比較によって、動画作成者を特定し、この動画作成者に報酬を支払うことを決定する。
【０１２９】
＜ハードウェア構成＞
上述した第１から第３実施形態の依頼者側端末装置１０、作成者側端末装置２０、広告動画管理装置１００、１００Ａ、１００Ｂ、販売サイト提供装置２００、および動画投稿サイト提供装置３００は、例えば、図２３に示すようなハードウェア構成により実現される。図２３は、実施形態の依頼者側端末装置１０、作成者側端末装置２０、広告動画管理装置１００、１００Ａ、１００Ｂ、販売サイト提供装置２００、および動画投稿サイト提供装置３００のハードウェア構成の一例を示す図である。本図は、依頼者側端末装置１０および作成者側端末装置２０が携帯電話である例を示している。
【０１３０】
依頼者側端末装置１０は、ＣＰＵ１０−１、ＲＡＭ１０−２、ＲＯＭ１０−３、フラッシュメモリなどの二次記憶装置１０−４、タッチパネル１０−５、および無線通信モジュール１０−６が、内部バスあるいは専用通信線によって相互に接続された構成となっている。無線通信モジュール１０−６は、無線基地局にアクセスすることでネットワークＮＷに接続する。無線通信モジュール１０−６は通信部１１に対応し、タッチパネル１０−５は表示部１２および操作部１３に対応する。また、二次記憶装置１０−４に格納されたプログラムがＤＭＡコントローラ（不図示）などによってＲＡＭ１０−２に展開され、ＣＰＵ１０−１によって実行されることで、制御部１４が実現される。
【０１３１】
作成者側端末装置２０は、ＣＰＵ２０−１、ＲＡＭ２０−２、ＲＯＭ２０−３、フラッシュメモリなどの二次記憶装置２０−４、タッチパネル２０−５、および無線通信モジュール２０−６が、内部バスあるいは専用通信線によって相互に接続された構成となっている。無線通信モジュール２０−６は、無線基地局にアクセスすることでネットワークＮＷに接続する。無線通信モジュール２０−６は通信部２１に対応し、タッチパネル２０−５は表示部２２および操作部２３に対応する。また、二次記憶装置２０−４に格納されたプログラムがＤＭＡコントローラ（不図示）などによってＲＡＭ２０−２に展開され、ＣＰＵ２０−１によって実行されることで、制御部２４が実現される。
【０１３２】
広告動画管理装置１００、１００Ａ、１００Ｂ、１００Ｂは、ＮＩＣ１００−１、ＣＰＵ１００−２、ＲＡＭ１００−３、ＲＯＭ１００−４、フラッシュメモリやＨＤＤなどの二次記憶装置１００−５、およびドライブ装置１００−６が、内部バスあるいは専用通信線によって相互に接続された構成となっている。ドライブ装置１００−６には、光ディスクなどの可搬型記憶媒体が装着される。二次記憶装置１００−５、またはドライブ装置１００−６に装着された可搬型記憶媒体に格納された広告動画管理プログラムがＤＭＡ（Direct Memory Access）コントローラ（不図示）などによってＲＡＭ１００−３に展開され、ＣＰＵ１００−２によって実行されることで、制御部１１０の各機能部が実現される。制御部１１０が参照するプログラムは、ネットワークＮＷを介して他の装置からダウンロードされてもよい。
【０１３３】
販売サイト提供装置２００は、ＮＩＣ２００−１、ＣＰＵ２００−２、ＲＡＭ２００−３、ＲＯＭ２００−４、フラッシュメモリやＨＤＤなどの二次記憶装置２００−５、およびドライブ装置２００−６が、内部バスあるいは専用通信線によって相互に接続された構成となっている。ドライブ装置２００−６には、光ディスクなどの可搬型記憶媒体が装着される。二次記憶装置２００−５、またはドライブ装置２００−６に装着された可搬型記憶媒体に格納された広告動画管理プログラムがＤＭＡコントローラ（不図示）などによってＲＡＭ２００−３に展開され、ＣＰＵ２００−２によって実行されることで、制御部２０４が実現される。制御部２０４が参照するプログラムは、ネットワークＮＷを介して他の装置からダウンロードされてもよい。
【０１３４】
動画投稿サイト提供装置３００は、ＮＩＣ３００−１、ＣＰＵ３００−２、ＲＡＭ３００−３、ＲＯＭ３００−４、フラッシュメモリやＨＤＤなどの二次記憶装置３００−５、およびドライブ装置３００−６が、内部バスあるいは専用通信線によって相互に接続された構成となっている。ドライブ装置３００−６には、光ディスクなどの可搬型記憶媒体が装着される。二次記憶装置３００−５、またはドライブ装置３００−６に装着された可搬型記憶媒体に格納された広告動画管理プログラムがＤＭＡコントローラ（不図示）などによってＲＡＭ３００−３に展開され、ＣＰＵ３００−２によって実行されることで、制御部３０４が実現される。制御部３０４が参照するプログラムは、ネットワークＮＷを介して他の装置からダウンロードされてもよい。
【０１３５】
以上、本発明を実施するための形態について実施形態を用いて説明したが、本発明はこうした実施形態に何ら限定されるものではなく、本発明の要旨を逸脱しない範囲内において種々の変形及び置換を加えることができる。
【符号の説明】
【０１３６】
１、２、３…広告動画管理システム、１０…依頼者側端末装置、２０…作成者側端末装置、１００、１００Ａ、１００Ｂ…広告動画管理装置、１０２…通信部、１１０…制御部、１１１…依頼処理部、１１２…リスト情報生成部、１１３…リンク情報生成部、１１４…支払決定部、１２０…記憶部、１２１…リスト情報、１２２…リンク情報、１２３…動画作成者評価情報、２００…販売サイト提供装置、３００…動画投稿サイト提供装置、ＮＷ…ネットワーク
【図１】
0006767757.tif 000002
【図２】
0006767757.tif 000003
【図３】
0006767757.tif 000004
【図４】
0006767757.tif 000005
【図５】
0006767757.tif 000006
【図６】
0006767757.tif 000007
【図７】
0006767757.tif 000008
【図８】
0006767757.tif 000009
【図９】
0006767757.tif 000010
【図１０】
0006767757.tif 000011
【図１１】
0006767757.tif 000012
【図１２】
0006767757.tif 000013
【図１３】
0006767757.tif 000014
【図１４】
0006767757.tif 000015
【図１５】
0006767757.tif 000016
【図１６】
0006767757.tif 000017
【図１７】
0006767757.tif 000018
【図１８】
0006767757.tif 000019
【図１９】
0006767757.tif 000020
【図２０】
0006767757.tif 000021
【図２１】
0006767757.tif 000022
【図２２】
0006767757.tif 000023
【図２３】
0006767757.tif 000024